(57)【要約】  本願の実施例は、情報伝送方法、装置及び通信デバイスを提供し、第１の基地局が端末により送信されたＲＲＣ回復要求メッセージを受信した後、第２の基地局に端末コンテキスト取得要求メッセージを送信することと、前記第１の基地局が前記第２の基地局により送信された端末コンテキスト要求失敗メッセージを受信し、前記端末コンテキスト要求失敗メッセージがＲＲＣリリースメッセージ及び前記ＲＲＣリリースメッセージの関連情報を含み、前記ＲＲＣリリースメッセージの関連情報が伝送情報及び／又はセキュリティ情報を含むことと、前記第１の基地局が前記ＲＲＣリリースメッセージの関連情報に基づいて、前記端末に前記ＲＲＣリリースメッセージを送信することとを含む。
2022501842.tif 000002
【特許請求の範囲】
【請求項１】
第１の基地局が端末により送信されたＲＲＣ回復要求メッセージを受信した後、第２の基地局に端末コンテキスト取得要求メッセージを送信することと、
前記第１の基地局が前記第２の基地局により送信された端末コンテキスト要求失敗メッセージを受信し、前記端末コンテキスト要求失敗メッセージがＲＲＣリリースメッセージ及び前記ＲＲＣリリースメッセージの関連情報を含み、前記ＲＲＣリリースメッセージの関連情報が伝送情報及び／又はセキュリティ情報を含むことと、
前記第１の基地局が前記ＲＲＣリリースメッセージの関連情報に基づいて、前記端末に前記ＲＲＣリリースメッセージを送信することとを含む
ことを特徴とする情報伝送方法。
【請求項２】
前記第１の基地局が端末により送信されたＲＲＣ回復要求メッセージを受信した後、第２の基地局に端末コンテキスト取得要求メッセージを送信することは、
前記第１の基地局が端末により送信されたＲＲＣ回復要求メッセージを受信した後、前記ＲＲＣ回復要求メッセージに含まれる第１のユーザー識別子に基づいて、前記第２の基地局のアドレスを検索し、前記第２の基地局に端末コンテキスト取得要求メッセージを送信することを含む
ことを特徴とする請求項１に記載の情報伝送方法。
【請求項３】
前記端末コンテキスト取得要求メッセージには、
ＲＲＣ回復手順を開始する原因値、
現在ＲＲＣ回復手順の目的が周期的な位置更新であることを示す第１の指示情報のうちの少なくとも１つが搬送される
ことを特徴とする請求項１又は２に記載の情報伝送方法。
【請求項４】
前記端末コンテキスト取得要求メッセージは、
前記第２の基地局が前記端末コンテキスト取得要求メッセージを受信した後に前記端末コンテキスト取得要求メッセージに含まれるＭＡＣ−Ｉに対して検証を行い、検証が合格した後、第１の情報に基づいて端末コンテキスト移行不要ＲＲＣ回復手順を行うかどうかを決定し、端末コンテキスト移行不要ＲＲＣ回復手順を行うと決定した場合、前記第１の基地局に端末コンテキスト要求失敗メッセージを送信するために使用される
ことを特徴とする請求項３に記載の情報伝送方法。
【請求項５】
前記第１の情報は、
前記端末コンテキスト取得要求メッセージに含まれるＲＲＣ回復手順を開始する原因値、
前記端末コンテキスト取得要求メッセージに含まれる現在ＲＲＣ回復手順の目的が周期的な位置更新であることを示す第１の指示情報、
位置更新タイマタイムアウト情報、
下りデータ到着するかどうかを示す指示情報のうちの少なくとも１つを含む
ことを特徴とする請求項４に記載の情報伝送方法。
【請求項６】
前記端末コンテキスト要求失敗メッセージは、
ＲＲＣリリースメッセージ、鍵、アルゴリズム、ＳＲＢ１の構成情報、端末が遷移するＲＲＣ状態を示す指示情報、又は、
ＲＲＣリリースメッセージ、ＲＲＣリリースメッセージに対応するＰＤＣＰ  ＰＤＵ、ＳＲＢ１の構成情報、端末が遷移するＲＲＣ状態を示す指示情報、又は、
ＲＲＣリリースメッセージ、ＲＲＣリリースメッセージに対応するＴＢブロック、端末が遷移するＲＲＣ状態を示す指示情報を含む
ことを特徴とする請求項１〜５のいずれか１項に記載の情報伝送方法。
【請求項７】
前記第１の基地局が前記ＲＲＣリリースメッセージの関連情報に基づいて、前記端末に前記ＲＲＣリリースメッセージを送信することは、
前記第１の基地局がＳＲＢ１の構成情報に基づいてＳＲＢ１を確立し、前記鍵及びアルゴリズムに基づいてＲＲＣリリースメッセージに対して暗号化および完全性保護処理を行い、前記ＳＲＢ１を利用して前記ＲＲＣリリースメッセージを送信すること、又は、
前記第１の基地局がＳＲＢ１の構成情報に基づいてＳＲＢ１を確立し、前記ＳＲＢ１を利用して前記ＲＲＣリリースメッセージに対応するＰＤＣＰ  ＰＤＵを送信すること、又は、
前記第１の基地局がＳＲＢ０を利用して前記ＲＲＣリリースメッセージに対応するＴＢブロックを送信することを含む
ことを特徴とする請求項６に記載の情報伝送方法。
【請求項８】
前記ＲＲＣリリースメッセージは、
前記端末が前記ＲＲＣリリースメッセージを受信した後、
前記ＲＲＣリリースメッセージが前記ＳＲＢ１で送信される場合、前記端末が回復されるＳＲＢ１で復号してＲＲＣリリースメッセージを取得し、前記ＲＲＣリリースメッセージにおける構成情報に基づいて構成を更新し、対応するＲＲＣ状態に遷移し、
前記ＲＲＣリリースメッセージがコンテナｃｏｎｔａｉｎｅｒで前記ＳＲＢ０において送信される場合、前記端末が前記ＳＲＢ０において前記ｃｏｎｔａｉｎｅｒにおけるＴＢデータを取得し、回復されるＳＲＢ１構成情報に基づいてＲＲＣリリースメッセージを復号化し、前記ＲＲＣリリースメッセージにおける構成情報に基づいて構成を更新し、対応するＲＲＣ状態に遷移するために使用される
ことを特徴とする請求項７に記載の情報伝送方法。
【請求項９】
第２のノード側の鍵は、
元の鍵に基づいて新しい鍵を生成し、又は、
新しいＮＣＣに対応するＮＨに基づいて新しい鍵を生成し、
前記ＮＣＣは、前記第２のノードがコアネットワークに能動的に要求して得られたものである
ことを特徴とする請求項１〜８のいずれか１項に記載の情報伝送方法。
【請求項１０】
前記新しい鍵は、前記第２の基地局のＰＣＩ及びＡＲＦＣＮに基づいて生成され、
又は、
前記新しい鍵は、前記第１の基地局のＰＣＩ及びＡＲＦＣＮに基づいて生成される
ことを特徴とする請求項９に記載の情報伝送方法。
【請求項１１】
第１の受信ユニットと、第１の送信ユニットと、第２の受信ユニットと、第２の送信ユニットと、を備える情報伝送装置であって、
前記第１の受信ユニットは、端末により送信されたＲＲＣ回復要求メッセージを受信するように構成され、
前記第１の送信ユニットは、第２の基地局に端末コンテキスト取得要求メッセージを送信するように構成され、
前記第２の受信ユニットは、前記第２の基地局により送信された端末コンテキスト要求失敗メッセージを受信するように構成され、前記端末コンテキスト要求失敗メッセージがＲＲＣリリースメッセージ及び前記ＲＲＣリリースメッセージの関連情報を含み、前記ＲＲＣリリースメッセージの関連情報が伝送情報及び／又はセキュリティ情報を含み、
前記第２の送信ユニットは、前記ＲＲＣリリースメッセージの関連情報に基づいて、前記端末に前記ＲＲＣリリースメッセージを送信するように構成される
ことを特徴とする情報伝送装置。
【請求項１２】
前記第１の受信ユニットが端末により送信されたＲＲＣ回復要求メッセージを受信した後、前記第１の送信ユニットが前記ＲＲＣ回復要求メッセージに含まれる第１のユーザー識別子に基づいて前記第２の基地局のアドレスを検索し、前記第２の基地局に端末コンテキスト取得要求メッセージを送信する
ことを特徴とする請求項１１に記載の情報伝送装置。
【請求項１３】
前記端末コンテキスト取得要求メッセージには、
ＲＲＣ回復手順を開始する原因値、
現在ＲＲＣ回復手順の目的が周期的な位置更新であることを示す第１の指示情報のうちの少なくとも１つが搬送される
ことを特徴とする請求項１１又は１２に記載の情報伝送装置。
【請求項１４】
前記端末コンテキスト取得要求メッセージは、
前記第２の基地局が前記端末コンテキスト取得要求メッセージを受信した後に前記端末コンテキスト取得要求メッセージに含まれるＭＡＣ−Ｉに対して検証を行い、検証が合格した後、第１の情報に基づいて端末コンテキスト移行不要ＲＲＣ回復手順を行うかどうかを決定し、端末コンテキスト移行不要ＲＲＣ回復手順を行うと決定した場合、前記第１の基地局に端末コンテキスト要求失敗メッセージを送信するために使用される
ことを特徴とする請求項１３に記載の情報伝送装置。
【請求項１５】
前記第１の情報は、
前記端末コンテキスト取得要求メッセージに含まれるＲＲＣ回復手順を開始する原因値、
前記端末コンテキスト取得要求メッセージに含まれる、現在ＲＲＣ回復手順の目的が周期的な位置更新であることを示す第１の指示情報、
位置更新タイマタイムアウト情報、
下りデータ到着するかどうかを示す指示情報のうちの少なくとも１つを含む
ことを特徴とする請求項１４に記載の情報伝送装置。
【請求項１６】
前記端末コンテキスト要求失敗メッセージは、
ＲＲＣリリースメッセージ、鍵、アルゴリズム、ＳＲＢ１の構成情報、端末が遷移するＲＲＣ状態を示す指示情報、又は、
ＲＲＣリリースメッセージ、ＲＲＣリリースメッセージに対応するＰＤＣＰ  ＰＤＵ、ＳＲＢ１の構成情報、端末が遷移するＲＲＣ状態を示す指示情報、又は、
ＲＲＣリリースメッセージ、ＲＲＣリリースメッセージに対応するＴＢブロック、端末が遷移するＲＲＣ状態を示す指示情報を含む
ことを特徴とする請求項１１〜１５のいずれか１項に記載の情報伝送装置。
【請求項１７】
前記装置が確立ユニット及び／又はセキュリティ処理ユニットをさらに含み、
前記確立ユニットがＳＲＢ１の構成情報に基づいてＳＲＢ１を確立し、前記セキュリティ処理ユニットが前記鍵及びアルゴリズムに基づいてＲＲＣリリースメッセージに対して暗号化および完全性保護処理を行い、前記第２の送信ユニットが前記ＳＲＢ１を利用して前記ＲＲＣリリースメッセージを送信し、又は、
前記確立ユニットがＳＲＢ１の構成情報に基づいてＳＲＢ１を確立し、前記第２の送信ユニットが前記ＳＲＢ１を利用して前記ＲＲＣリリースメッセージに対応するＰＤＣＰ  ＰＤＵを送信し、又は、
前記第２の送信ユニットがＳＲＢ０を利用して前記ＲＲＣリリースメッセージに対応するＴＢブロックを送信する
ことを特徴とする請求項１６に記載の情報伝送装置。
【請求項１８】
前記ＲＲＣリリースメッセージは、
前記端末が前記ＲＲＣリリースメッセージを受信した後、
前記ＲＲＣリリースメッセージが前記ＳＲＢ１で送信される場合、前記端末が回復されるＳＲＢ１で復号してＲＲＣリリースメッセージを取得し、前記ＲＲＣリリースメッセージにおける構成情報に基づいて構成を更新し、対応するＲＲＣ状態に遷移し、
前記ＲＲＣリリースメッセージがコンテナｃｏｎｔａｉｎｅｒで前記ＳＲＢ０において送信される場合、前記端末が前記ＳＲＢ０において前記ｃｏｎｔａｉｎｅｒにおけるＴＢデータを取得し、回復されるＳＲＢ１構成情報に基づいてＲＲＣリリースメッセージを復号化し、前記ＲＲＣリリースメッセージにおける構成情報に基づいて構成を更新し、対応するＲＲＣ状態に遷移するために使用される
ことを特徴とする請求項１７に記載の情報伝送装置。
【請求項１９】
前記第２のノード側の鍵は、
元の鍵に基づいて新しい鍵を生成し、又は、
新しいＮＣＣに対応するＮＨに基づいて新しい鍵を生成し、
前記ＮＣＣは、前記第２のノードがコアネットワークに能動的に要求して得られたものである
ことを特徴とする請求項１１〜１８のいずれか１項に記載の情報伝送装置。
【請求項２０】
前記新しい鍵は、前記第２の基地局のＰＣＩ及びＡＲＦＣＮに基づいて生成され、
又は、
前記新しい鍵は、前記第１の基地局のＰＣＩ及びＡＲＦＣＮに基づいて生成される
ことを特徴とする請求項１９に記載の情報伝送装置。
【請求項２１】
コンピュータプログラムを格納するメモリと、
前記コンピュータプログラムを呼び出して実行することで、請求項１〜１０のいずれか１項に記載の方法を実行するプロセッサと、を備える
ことを特徴とする通信デバイス。
【請求項２２】
請求項１〜１０のいずれか１項に記載の方法を、チップが搭載された装置に実行させるコンピュータプログラムをメモリから呼び出して実行するプロセッサを有する
ことを特徴とするチップ。
【請求項２３】
請求項１〜１０のいずれか１項に記載の方法をコンピュータに実行させるコンピュータプログラムを記憶する
ことを特徴とするコンピュータ可読記憶媒体。
【請求項２４】
請求項１〜１０のいずれか１項に記載の方法をコンピュータに実行させるコンピュータプログラム命令を含む
ことを特徴とするコンピュータプログラム製品。
【請求項２５】
請求項１〜１０のいずれか１項に記載の方法をコンピュータに実行させる
ことを特徴とするコンピュータプログラム。
【発明の詳細な説明】
【技術分野】
【０００１】
本願の実施例は、移動通信技術分野に関し、具体的に、情報伝送方法、装置及び通信デバイスに関する。
【背景技術】
【０００２】
ネットワーク側は、非アクティブ（ｉｎａｃｔｉｖｅ）状態にあるユーザデバイス( ＵＥ、Ｕｓｅｒ Ｅｑｕｉｐｍｅｎｔ )に対して、無線アクセスネットワーク( ＲＡＮ、Ｒａｄｉｏ Ａｃｃｅｓｓ Ｎｅｔｗｏｒｋ )ページングエリアを構成し、このＲＡＮエリア内でＵＥの到達性を保証するために、ＵＥは、ネットワークにより構成された周期にしたがって周期的な位置更新を行う必要がある。周期的位置更新を行う場合、ＵＥは無線リソース制御( ＲＲＣ、Ｒａｄｉｏ Ｒｅｓｏｕｒｃｅ Ｃｏｎｔｒｏｌ )接続を回復する必要があり、この時、ネットワーク側は端末コンテキスト( ＵＥコンテキスト)を目標基地局に移行しない可能性があるため、ネットワーク側内部のシグナリング負荷を低減することができる。
【０００３】
ＵＥコンテキストを元に格納していた元の基地局は、端末コンテキスト要求失敗メッセージによって、カプセル化されたＲＲＣリリースメッセージを目標基地局に伝送し、目標基地局は、そのカプセル化されたメッセージをＵＥに転送する。しかしながら、どのように目標基地局がカプセル化されたＲＲＣリリースメッセージをＵＥに送信するかは、解決すべき課題である。
【発明の概要】
【０００４】
本願の実施例は、情報伝送方法、装置及び通信デバイスを提供する。
【０００５】
本願の実施例における情報伝送方法は、
第１の基地局が端末により送信されたＲＲＣ回復要求メッセージを受信した後、第２の基地局に端末コンテキスト取得要求メッセージを送信することと、
前記第１の基地局が前記第２の基地局により送信された端末コンテキスト要求失敗メッセージを受信し、前記端末コンテキスト要求失敗メッセージがＲＲＣリリースメッセージ及び前記ＲＲＣリリースメッセージの関連情報を含み、前記ＲＲＣリリースメッセージの関連情報が伝送情報及び／又はセキュリティ情報を含むことと、
前記第１の基地局が前記ＲＲＣリリースメッセージの関連情報に基づいて、前記端末に前記ＲＲＣリリースメッセージを送信することとを含む。
【０００６】
本願の実施例における情報伝送装置は、第１の受信ユニットと、第１の送信ユニットと、第２の受信ユニットと、第２の送信ユニットとを備え、
第１の受信ユニットは、端末により送信されたＲＲＣ回復要求メッセージを受信するように構成され、
第１の送信ユニットは、第２の基地局に端末コンテキスト取得要求メッセージを送信するように構成され、
第２の受信ユニットは、前記第２の基地局により送信された端末コンテキスト要求失敗メッセージを受信するように構成され、前記端末コンテキスト要求失敗メッセージがＲＲＣリリースメッセージ及び前記ＲＲＣリリースメッセージの関連情報を含み、前記ＲＲＣリリースメッセージの関連情報が伝送情報及び／又はセキュリティ情報を含み、
第２の送信ユニットは、前記ＲＲＣリリースメッセージの関連情報に基づいて、前記端末に前記ＲＲＣリリースメッセージを送信するように構成される。
【０００７】
本願の実施例に係る通信デバイスは、プロセッサとメモリとを含む。このメモリは、コンピュータプログラムを格納するためのものであり、このプロセッサは、このメモリに格納されたコンピュータプログラムを呼び出して実行し、上述した情報伝送方法を実行するためのものである。
【０００８】
本願の実施例は、上記の情報伝送方法を実現するチップを提供する。
【０００９】
具体的には、チップは、コンピュータプログラムをメモリから呼び出して実行するプロセッサを備え、チップを搭載する装置に、上記の情報伝送方法を実行させる。
【００１０】
本願の実施例のコンピュータ読み取り可能な記憶媒体は、上述した情報伝送方法をコンピュータに実行させるコンピュータプログラムを記憶する。
【００１１】
本願の実施例は、コンピュータに上述の情報伝送方法を実行させるコンピュータプログラム命令を含むコンピュータプログラム製品を提供する。
【００１２】
本願の実施例は、コンピュータに実行させることにより、上述した情報伝送方法をコンピュータに実行させるプログラムを提供する。
【００１３】
上記の技術案によって、端末コンテキストの移行を行わずに、ＲＲＣ回復手順を行い、この手順において、目標基地局(すなわち、第１の基地局)がＲＲＣリリースメッセージの関連情報に基づいて前記ＲＲＣリリースメッセージを前記端末に送信することで、端末の構成情報の安全で信頼性のある更新が保証される。
【図面の簡単な説明】
【００１４】
本明細書で説明する図面は、本願のさらなる理解を提供するために提供され、本願の一部を構成し、本願の例示的な実施例およびその説明は、本願を説明するために使用され、本願を限定するようには構成されない。
【図１】本願の実施例における通信システムアーキテクチャの模式図である。
【図２】本願の実施例におけるＲＡＮページングエリアの模式図である。
【図３】本願の実施例における情報伝送方法のフローチャートである
【図４】本願の実施例における各ノードのＲＲＣ回復手順の実行の模式図である。
【図５】本願の実施例における情報伝送装置の構成図である。
【図６】本願の実施例における通信デバイスの構成図である。
【図７】本願の実施例におけるチップの構成図である。
【図８】本願の実施例における通信システムのブロック図である。
【発明を実施するための形態】
【００１５】
以下、本願の実施例について図面を参照して説明するが、本願は、この実施例に限定されるものではなく、本願の技術的思想に基づく各種の変形が可能である。本出願における実施例に基づいて、当業者が創造的な労働をすることなく得られる全ての他の実施例は、本願の保護範囲に属する。
【００１６】
本願の実施例の技術的思想は、例えば、全地球移動通信( Ｇｌｏｂａｌ Ｓｙｓｔｅｍ ｏｆ Ｍｏｂｉｌｅ ｃｏｍｍｕｎｉｃａｔｉｏｎ、ＧＳＭ )システム、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、汎用パケット無線サービス( Ｇｅｎｅｒａｌ Ｐａｃｋｅｔ Ｒａｄｉｏ Ｓｅｒｖｉｃｅ、ＧＰＲＳ )、ロングタームエボリューション( Ｌｏｎｇ  Ｔｅｒｍ  Ｅｖｏｌｕｔｉｏｎ、ＬＴＥ )システム、LTE周波数分割複信( Ｆｒｅｑｕｅｎｃｙ Ｄｉｖｉｓｉｏｎ Ｄｕｐｌｅｘ、ＦＤＤ )システム、LTE時分割複信( Ｔｉｍｅ Ｄｉｖｉｓｉｏｎ Ｄｕｐｌｅｘ、ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、前地球相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉMAX )通信システム、又は５Ｇシステム等の様々な通信システムに適用可能である。
【００１７】
本願の実施例が適用される通信システム１００は、例えば図１に示すようなものである。通信システム１００は、端末デバイス１２０ (または通信端末、端末)と通信する装置であり得るネットワークデバイス１１０を含み得る。ネットワークデバイス１１０は、特定の地理的エリアに通信カバレージを提供し得、そのカバレージ内に位置する端末デバイスと通信し得る。任意選択で、ネットワークデバイス１１０は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、LTEシステムにおける発展型基地局( Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または、モバイルスイッチングハブ、中継局、アクセスポイント、車載デバイス、ウェアラブルデバイス、ハブ、スイッチ、ブリッジ、ルータ、５Ｇネットワークにおけるネットワーク側デバイス、または将来進化するパブリック地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００１８】
通信システム１００は、ネットワークデバイス１１０のカバレージ内に配置された少なくとも１つの端末デバイス１２０をさらに含む。本明細書で使用される「端末デバイス」としては、公衆交換電話網( Ｐｕｂｌｉｃ Ｓｗｉｔｃｈｅｄ Ｔｅｌｅｐｈｏｎｅ Ｎｅｔｗｏｒｋｓ、ＰＳＴＮ )、デジタル加入者線( Ｄｉｇｉｔａｌ Ｓｕｂｓｃｒｉｂｅｒ Ｌｉｎｅ、ＤＳＬ )、デジタルケーブル、直接ケーブル接続などの有線回線を介した接続、および/または別のデータ接続/ネットワーク、および/または、セルラネットワーク、ワイヤレスローカルエリアネットワーク( Ｗｉｒｅｌｅｓｓ Ｌｏｃａｌ Ａｒｅａ Ｎｅｔｗｏｒｋ、ＷＬＡＮ )、ＤＶＢ−Ｈネットワークなどのデジタルテレビジョンネットワーク、衛星ネットワーク、ＡＭ−ＦＭ放送受信機などの無線インターフェース、及び/又は通信信号を受信/送信するように構成された別の端末デバイスのための手段、および/またはモノのインターネット( Ｉｎｔｅｒｎｅｔ ｏｆ Ｔｈｉｎｇｓ、ＩｏＴ )装置を含む。無線インターフェースを介して通信するように設定された端末デバイスは、「無線通信端末」、「無線端末」、又は「移動端末」と称され得る。移動端末の例は、衛星又は携帯電話を含むがこれらに限定されない、セルラー無線電話とデータ処理、ファクシミリ、及びデータ通信能力を組み合わせることができるパーソナル通信システム( Ｐｅｒｓｏｎａｌ Ｃｏｍｍｕｎｉｃａｔｉｏｎｓ Ｓｙｓｔｅｍ、ＰＣＳ )端末、PDAは、無線電話、ページャ、インターネット/イントラネット接続、ウェブブラウザ、メモ帳、カレンダー、及び/又は全地球測位システム( Ｇｌｏｂａｌ Ｐｏｓｉｔｉｏｎｉｎｇ Ｓｙｓｔｅｍ、ＧＰＳ )受信機を含み得る；従来のノート型受信機やパームトップ型受信機等の電子機器に内蔵されている無線電話送受信機に適用してもよい。端末デバイスは、アクセス端末、ユーザ機器( Ｕｓｅｒ Ｅｑｕｉｐｍｅｎｔ、ＵＥ )、ユーザ機器、ユーザ局、移動局、リモート端末、モバイル機器、ユーザ端末、無線通信機器、ユーザエージェント、又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ（ Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、５Ｇネットワークにおける端末デバイス、または将来開発されるＰＬＭＮにおける端末デバイスなどであり得る。
【００１９】
任意選択で、端末デバイス１２０間の端末間接続( Ｄｅｖｉｃｅ ｔｏ Ｄｅｖｉｃｅ、Ｄ2Ｄ )通信が行われてもよい。
【００２０】
任意選択で、５Ｇシステム又は５Ｇネットワークは、新たなラジオ( Ｎｅｗ Ｒａｄｉｏ、ＮＲ )システム又はＮＲネットワークとも呼ばれ得る。
【００２１】
図１は、１つのネットワークデバイス及び２つの端末デバイスを例示的に示しているが、通信システム１００は、複数のネットワークデバイスを含んでもよく、各ネットワークデバイスのカバレージ内に他の数の端末デバイスを含んでもよく、本願の実施例はこれに限定されない。
【００２２】
任意選択で、この通信システム１００は、ネットワークコントローラ、モビリティ管理エンティティなどの他のネットワークエンティティをさらに含むことができ、本願の実施例はこれに限定されない。
【００２３】
なお、本願の実施例におけるネットワーク/システムにおける通信機能を有する装置を通信デバイスと呼ぶ場合がある。図１に示す通信システム１００を例にとると、通信デバイスは、通信機能を有するネットワークデバイス１１０及び端末デバイス１２０を含むことができ、ネットワークデバイス１１０及び端末デバイス１２０は、上述した具体的な装置であってもよく、ここでは詳しい説明を省略し、通信デバイスは、通信システム１００内の他のデバイス、例えば、ネットワークコントローラ、モビリティ管理エンティティ等の他のネットワークエンティティをさらに含むことができ、これは、本願の実施例において限定されない。
【００２４】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００２５】
第３世代パートナーシッププロジェクト( ３ ＧＰＰ、３ ｒｄ Ｇｅｎｅｒａｔｉｏｎ Ｐａｒｔｎｅｒｓｈｉｐ Ｐｒｏｊｅｃｔ )の国際標準団体は、今後の生活におけるトラフィックの速度、遅延、高速移動性、エネルギー効率の追求、及びトラフィックの多様性、複雑性を満たすために、５Ｇ (５ ｔｈ Ｇｅｎｅｒａｔｉｏｎ )の移動通信技術を開発し始めた。
【００２６】
なお、本願の実施例に係る技術的手段は、主に５Ｇ移動通信システムに適用されるが、もちろん、本願の実施例に係る技術的手段は、５Ｇ移動通信システムに限定されるものではなく、他のタイプの移動通信システムにも適用可能である。以下、５Ｇ移動通信システムの応用シナリオを説明する。
【００２７】
１）ｅＭＢＢシナリオとして、ｅＭＢＢは、ユーザがマルチメディアコンテンツ、サービス、及びデータを入手することを目指しており、そのサービスニーズは非常に急速に伸びている。ｅＭＢＢは、屋内、市区町村など、様々な場面で展開することが可能であり、その業務能力やニーズの差が大きいため、具体的な展開場面に合わせて業務を分析する必要がある。
【００２８】
２）ＵＲＬＬＣシナリオとして、ＵＲＬＬＣの典型的な用途は、工業自動化、電気自動化、遠隔医療操作、交通安全保障などを含む。
【００２９】
３）ｍＭＴＣシナリオとして、ＵＲＬＬＣの典型的な特徴は、高い接続密度、少ないデータ量、遅延非感受性サービス、モジュールの低コスト及び長い寿命などである。
【００３０】
５Ｇネットワーク環境では、エアインターフェース信号を低減し、無線接続を迅速に回復するために、データトラフィックを迅速に回復する目的で、新しいＲＲＣ状態、すなわちＲＲＣ＿ＩＮＡＣＴＩＶＥ状態が定義される。この状態は、ＲＲＣ＿ＩＤＬＥ状態およびＲＲＣ＿ＡＣＴＩＶＥ状態、すなわちＲＲＣ＿ＣＯＮＮＥＣＴＥＤ状態とは異なる。
【００３１】
ＲＲＣ＿ＩＤＬＥ：モビリティは、ＵＥによるセル選択の再選択であり、ページングはＣＮによって開始され、ページングエリアはＣＮによって構成される。基地局側にはＵＥ ＡＳコンテキストは存在しない。ＲＲＣ接続は存在しない。
【００３２】
ＲＲＣ＿ＣＯＮＮＥＣＴＥＤ：ＲＲＣ接続があり、基地局とＵＥはＵＥ ＡＳコンテキストがある。ネットワーク側は、ＵＥの位置が特定のセルレベルであることを知る。モビリティは、ネットワーク側制御のモビリティである。ＵＥと基地局との間でユニキャストデータが伝送されてもよい。
【００３３】
ＲＲＣ＿ＩＮＡＣＴＩＶＥ：モビリティはＵＥベースのセル選択の再選択であり、ＣＮ−ＮＲ間の接続があり、ＵＥ ＡＳコンテキストはある基地局に存在し、ページングはＲＡＮによってトリガされ、ＲＡＮベースのページングエリアはＲＡＮによって管理され、ネットワーク側はＵＥの位置がＲＡＮベースのページングエリアレベルであることを知る。
【００３４】
図２を参照すると、ネットワーク側は、ＵＥがＲＲＣ＿ＩＮＡＣＴＩＶＥ状態にあるとき、ＵＥに専用シグナリングを介して、１つのセル又は複数のセルであり得るＲＡＮのページングエリアを構成する。ＵＥは、このエリア内を移動する際に、ｉｄｌｅ移動性挙動、すなわちセル選択再選択規則に従い、ネットワーク側に通知しない。ＵＥがＲＡＮにより構成されたページングエリアから外に移動した場合、ＵＥは、ＲＲＣ接続を回復するようにトリガされ、ＲＡＮにより構成されたページングエリアを再取得する。ＵＥに下りデータが到着すると、ＵＥのためのＲＡＮとＣＮとの間の接続を維持するｇＮＢが、ＲＡＮページングエリア内の全てのセルがＵＥにページングメッセージを送信することをトリガし、ＩＮＡＣＴＩＶＣＥ状態のＵＥがＲＲＣ接続を回復し、データ受信を可能にする。
【００３５】
ＵＥがＲＲＣ＿ＩＩＮＡＣＴＩＶＥ状態からＲＲＣ＿ＣＯＮＮＥＣＴＥＤ状態に入ることは、３つのケースがある。
【００３６】
ケース１は、ＵＥに下りデータが到着し、ネットワーク側がＲＡＮ初期のページングを開始して、ＵＥを接続状態に遷移する。
【００３７】
ケース２は、ＵＥが、周期的ＲＡＮ位置更新又はエリア亘る位置更新のようなＲＡＮ位置エリア更新を自ら開始することである。
【００３８】
ケース３は、ＵＥが上りデータ送信要求があり、ＵＥに接続状態に遷移する。
【００３９】
ｉｎａｃｔｉｖｅ状態にあるＵＥは、ＲＡＮページングエリアを構成し、このエリア内でＵＥの到達性を保証するために、ＵＥはネットワークにより構成された周期に応じて周期的な位置更新を行う必要がある。周期的位置更新が行われると、ＵＥがＲＲＣ接続を回復し、この時、ネットワーク側がＵＥコンテキストを目標基地局に移行せず、これにより、ネットワーク側の内部信号負荷を低減することができる。
【００４０】
図３は本願の実施例における情報伝送方法のフローチャートであり、図３に示すように、前記情報伝送方法は、以下のステップを含み、
ステップ３０１において、第１の基地局が端末により送信されたＲＲＣ回復要求メッセージを受信した後、第２の基地局に端末コンテキスト取得要求メッセージを送信する。
【００４１】
本願の実施例において、第１の基地局は目標基地局を指し、第２の基地局は端末コンテキストを格納する元の基地局を指し、第１の基地局と第の２基地局のタイプは同じであってもよいし、異なってもよい。例えば、第１の基地局がLTE基地局であり、第２の基地局がＮＲ基地局であるか、第１の基地局と第２の基地局が共にＮＲ基地局である。
【００４２】
本願の実施例において、前記第１の基地局が端末により送信されたＲＲＣ回復要求メッセージを受信した後、前記ＲＲＣ回復要求メッセージに含まれる第１のユーザー識別子に基づいて、前記第２の基地局のアドレスを検索し、前記第２の基地局に端末コンテキスト取得要求メッセージを送信する。
【００４３】
ここで、前記ＲＲＣ回復要求メッセージに第１のユーザー識別子が含まれ、該第１のユーザー識別子は、第２の基地局が端末のために割り当てたＩ−ＲＮＴＩである。
【００４４】
ある実施例において、前記端末コンテキスト取得要求メッセージには、
ＲＲＣ回復手順を開始する原因値、
現在ＲＲＣ回復手順の目的が周期的な位置更新であることを示す第１の指示情報のうちの少なくとも１つが搬送される。
【００４５】
本願の実施例において、前記端末コンテキスト取得要求メッセージは、前記第２の基地局が前記端末コンテキスト取得要求メッセージを受信した後に前記端末コンテキスト取得要求メッセージに含まれるＭＡＣ−Ｉに対して検証を行い、検証が合格した後、第１の情報に基づいて端末コンテキスト移行不要ＲＲＣ回復手順を行うかどうかを決定し、端末コンテキスト移行不要ＲＲＣ回復手順を行うと決定した場合、前記第１の基地局に端末コンテキスト要求失敗メッセージを送信するために使用される。
【００４６】
さらに、前記第１の情報は、
前記端末コンテキスト取得要求メッセージに含まれるＲＲＣ回復手順を開始する原因値、
前記端末コンテキスト取得要求メッセージに含まれる現在ＲＲＣ回復手順の目的が周期的な位置更新であることを示す第１の指示情報、
位置更新タイマタイムアウト情報、
下りデータ到着するかどうかを示す指示情報のうちの少なくとも１つを含む。
【００４７】
ステップ３０２において、前記第１の基地局が前記第２の基地局により送信された端末コンテキスト要求失敗メッセージを受信し、前記端末コンテキスト要求失敗メッセージがＲＲＣリリースメッセージ及び前記ＲＲＣリリースメッセージの関連情報を含み、前記ＲＲＣリリースメッセージの関連情報が伝送情報及び／又はセキュリティ情報を含む。
【００４８】
本願の実施例において、前記端末コンテキスト要求失敗メッセージに含まれる情報は、以下のケースを有し、
ケース一：前記端末コンテキスト要求失敗メッセージは、ＲＲＣリリースメッセージ、鍵、アルゴリズム、ＳＲＢ１の構成情報、端末が遷移するＲＲＣ状態を示す指示情報を含み、
ケース二：前記端末コンテキスト要求失敗メッセージは、ＲＲＣリリースメッセージ、ＲＲＣリリースメッセージに対応するＰＤＣＰ ＰＤＵ、ＳＲＢ１の構成情報、端末が遷移するＲＲＣ状態を示す指示情報を含み、
ケース三：前記端末コンテキスト要求失敗メッセージは、ＲＲＣリリースメッセージ、ＲＲＣリリースメッセージに対応するＴＢブロック、端末が遷移するＲＲＣ状態を示す指示情報を含む。
【００４９】
ステップ３０３において、前記第１の基地局が前記ＲＲＣリリースメッセージの関連情報に基づいて、前記端末に前記ＲＲＣリリースメッセージを送信する。
【００５０】
本願の実施例において、前記第１の基地局が前記ＲＲＣリリースメッセージの関連情報に基づいて、前記端末に前記ＲＲＣリリースメッセージを送信することは、以下のケースを有し、
ケース一：前記第１の基地局がＳＲＢ１の構成情報に基づいてＳＲＢ１を確立し、前記鍵及びアルゴリズムに基づいてＲＲＣリリースメッセージに対して暗号化および完全性保護処理を行い、前記ＳＲＢ１を利用して前記ＲＲＣリリースメッセージを送信し、
ケース二：前記第１の基地局がＳＲＢ１の構成情報に基づいてＳＲＢ１を確立し、前記ＳＲＢ１を利用して前記ＲＲＣリリースメッセージに対応するＰＤＣＰ ＰＤＵを送信し、
ケース三：前記第１の基地局がＳＲＢ０を利用して前記ＲＲＣリリースメッセージに対応するＴＢブロックを送信する。
【００５１】
本願の実施例の上記技術案において、１）前記ＲＲＣリリースメッセージが前記ＳＲＢ１で送信される場合、前記端末が回復されるＳＲＢ１で復号してＲＲＣリリースメッセージを取得し、前記ＲＲＣリリースメッセージにおける構成情報に基づいて構成を更新し、対応するＲＲＣ状態に遷移し、２）前記ＲＲＣリリースメッセージがコンテナｃｏｎｔａｉｎｅｒで前記ＳＲＢ０において送信される場合、前記端末が前記ＳＲＢ０において前記ｃｏｎｔａｉｎｅｒにおけるＴＢデータを取得し、回復されるＳＲＢ１構成情報に基づいてＲＲＣリリースメッセージを復号化し、前記ＲＲＣリリースメッセージにおける構成情報に基づいて構成を更新し、対応するＲＲＣ状態に遷移するために使用される。
【００５２】
本願の実施例の上記の技術案において、前記第２のノード側の鍵は、
１）元の鍵に基づいて新しい鍵を生成し、
２）新しいＮＣＣに対応するＮＨに基づいて新しい鍵を生成し、ここで、前記ＮＣＣは、前記第２のノードがコアネットワークに能動的に要求して得られたものである。
【００５３】
さらに、前記新しい鍵は、前記第２の基地局のＰＣＩ及びＡＲＦＣＮに基づいて生成され、又は、前記新しい鍵は、前記第１の基地局のＰＣＩ及びＡＲＦＣＮに基づいて生成される。ここで、以上の任意の方式で新しい鍵を生成する時に、入力されるパラメータは、第２の基地局のＰＣＩ及びＡＲＦＣＮであってもよく、第１の基地局のＰＣＩ及びＡＲＦＣＮであってもよい。
【００５４】
ここで、第２の基地局は、新しい鍵を生成した後、上記の端末コンテキスト要求失敗メッセージに含めて第１の基地局に送信し、上記のケース一に対応し、即ち、前記端末コンテキスト要求失敗メッセージは、ＲＲＣリリースメッセージ、鍵、アルゴリズム、ＳＲＢ１の構成情報、端末が遷移するＲＲＣ状態を示す指示情報を含む。又は、第２の基地局は、新しい鍵を利用してＲＲＣリリースメッセージを暗号化し、端末コンテキスト要求失敗メッセージを介して前記第１の基地局に送信する。
【００５５】
以下、図４に示すネットワークアーキテクチャを参照して、本願の実施例の技術的解決策を例示的に説明する。
【００５６】
図４を参照すると、ＵＥコンテキスト移行不要のＲＲＣ接続回復手順は、以下のものを含み、
１、ＵＥがＲＲＣ接続回復手順を開始し、目標基地局にＲＲＣ回復要求（ＲＲＣＲｅｓｕｍｅＲｅｑｕｅｓｔ）メッセージを送信する。
【００５７】
このステップにおいて、ＵＥ側の鍵は、以下のように更新され、
方式一：ＵＥは、目標基地局の物理セル識別( ＰＣＩ、Ｐｈｙｓｉｃａｌ Ｃｅｌｌ Ｉｄｅｎｔｉｆｉｅｒ )と絶対無線チャネル番号( ＡＲＦＣＮ、Ａｂｓｏｌｕｔｅ Ｒａｄｉｏ Ｆｒｅｑｕｅｎｃｙ Ｃｈａｎｎｅｌ Ｎｕｍｂｅｒ )に基づいて、ＭＳＧ３とＭＳＧ４に使用可能な、またはＭＳＧ４のみに使用可能な新しい鍵を計算する。
【００５８】
方式二： ＵＥは、元の基地局(アンカーポイント基地局)のＰＣＩとＡＲＦＣＮに基づいて、ＭＳＧ３とＭＳＧ４のために、またはＭＳＧ４のためにのみ使用され得る新しい鍵を計算する。
【００５９】
２、目標基地局は、ＲＲＣＲｅｓｕｍｅＲｅｑｕｅｓｔメッセージを受信すると、そのメッセージに含まれたＩ−ＲＮＴＩに基づいて、元の基地局をアドレスを検索し、元の基地局にＵＥコンテキスト要求手順を開始し、すなわち、目標基地局は、元の基地局に、端末コンテキスト取得要求( ＲＥＴＲＩＥＶＥ ＵＥ ＣＯＮＴＥＸＴ ＲＥＱＵＥＳＴ )メッセージを送信する。
【００６０】
任意選択で、ＲＥＴＲＩＥＶＥ ＵＥ ＣＯＮＴＥＸＴ ＲＥＱＵＥＳＴメッセージには、ＲＲＣ回復手順を開始するための理由値が搬送されるか、又は、現在のＲＲＣ回復手順が周期的な位置更新を目的としていることを示すための指示情報が追加される。
【００６１】
３、元の基地局は、ＲＥＴＲＩＥＶＥ ＵＥ ＣＯＮＴＥＸＴ ＲＥＱＵＥＳＴメッセージを受信すると、まずＭＡＣ-I情報からＵＥの正当性を判断する。そして、ＵＥコンテキスト移行不要のＲＲＣ接続回復手順を行うか否かを決定する。判断の根拠は、ＲＥＴＲＩＥＶＥ ＵＥ ＣＯＮＴＥＸＴ ＲＥＱＵＥＳＴにおける指示値もしくは原因値、または位置更新タイマタイムアウト情報、または下りデータ到着の有無であり得る。元の基地局は、ＵＥコンテキストを移行しないと判断した場合、鍵を更新し、ＵＥに対するＲＲＣ回復( ＲＲＣＲｅｌｅａｓｅ )メッセージを生成する。元の基地局は、目標基地局に対して、端末コンテキスト要求失敗( ＲＥＴＲＩＥＶＥ ＵＥ ＣＯＮＴＥＸＴ ＦＡＩＬＵＲＥ )メッセージを返信し、ＲＲＣＲｅｌｅａｓｅメッセージを搬送する。
【００６２】
ここで、ＲＥＴＲＩＥＶＥ ＵＥ ＣＯＮＴＥＸＴ ＦＡＩＬＵＲＥメッセージに含まれる内容は、以下のように実現されてもよい
方式一：ＲＲＣＲｅｌｅａｓｅメッセージ及び鍵、アルゴリズム及びＳＲＢ１の構成情報を含む。さらに、ＵＥの未来に遷移するＲＲＣ状態を示す指令を含み、
方式二：ＲＲＣＲｅｌｅａｓｅメッセージに対応するＰＤＣＰ ＰＤＵ、及びＳＲＢ１構成情報（又はＲＬＣ及びＭＡＣ、物理チャネル構成情報）を含み、さらに、ＵＥの未来に遷移するＲＲＣ状態を示す指令を含み、
方式三：ＲＲＣＲｅｌｅａｓｅメッセージに対応する伝送ブロック（ＴＢ、Ｔｒａｎｓｐｏｒｔ Ｂｌｏｃｋ）を含み、さらに、ＵＥの未来に遷移するＲＲＣ状態を示す指令を含む。
【００６３】
４、目標基地局は、ＲＥＴＲＩＥＶＥ ＵＥ ＣＯＮＴＥＸＴ ＦＡＩＬＵＲＥメッセージに含まれるＲＲＣＲｅｌｅａｓｅメッセージ関連情報を受信すると、ＵＥがコンテキスト移行不要の位置更新手順を行ったことを知る。目標基地局は(上記ステップの方式１、方式２、方式３に対応)、以下の通りであり、
方式一：ＳＲＢ１を確立し、ＲＲＣＲｅｌｅａｓｅメッセージに対して暗号化および完全性保護を行い、ＳＲＢ１を利用してＲＲＣ ｒｅｌｅａｓｅメッセージを送信する。
【００６４】
方式二：ＳＲＢ１を確立し、ＳＲＢ１を利用してＲＲＣＲｅｌｅａｓｅメッセージのＰＤＣＰ ＰＤＵデータを伝送する。
【００６５】
方式三：ＳＲＢ０でＴＢデータを伝送し、該ＳＲＢ０のメッセージは、ＲＲＣreleaseメッセージ又はＲＲＣＲｅｊｅｃｔメッセージであってもよい。
【００６６】
５、ＵＥがＲＲＣ Ｒｅｌｅａｓｅメッセージを受信する。
【００６７】
ステップ４の方式１および方式２に対応して、ＵＥは、回復されたＳＲＢ１上でデータを復号してＲＲＣ Ｒｅｌｅａｓｅメッセージを取得し、メッセージ内の構成情報に従って構成を更新し、対応するＲＲＣ状態に遷移する。
【００６８】
ステップ４の方式３に対応して、ＵＥがＳＲＢ０上でメッセージを受信し、メッセージ中に元の基地局によって生成されたＲＲＣＲｅｌｅａｓｅメッセージを含むｃｏｎｔａｉｎｅｒが含まれる場合、ＵＥは、ｃｏｎｔａｉｎｅｒ内のＴＢデータを取得し、回復されたＳＲＢ１構成情報に従ってＲＲＣＲｅｌｅａｓｅを復号し、メッセージ内の構成情報に従って構成を更新し、対応するＲＲＣ状態に遷移する。
【００６９】
６、元の基地局がＵＥのＲＲＣ接続回復手順を実行し終えた場合、例えばコンテキスト取得なしで、経路変更( Ｐａｔｈ ｓｗｉｔｃｈ )手順をトリガしない場合、元の基地局はＡＭＦを開始して更新されるＮＣＣ及びＮＨを要求する。
【００７０】
図５は本願の実施例における情報伝送装置の構成図であり、図５に示すように、前記装置は、第１の受信ユニット５０１と、第１の送信ユニット５０２と、第２の受信ユニット５０３と、第２の送信ユニット５０４と、を備え、
第１の受信ユニット５０１は、端末により送信されたＲＲＣ回復要求メッセージを受信するように構成され、
第１の送信ユニット５０２は、第２の基地局に端末コンテキスト取得要求メッセージを送信するように構成され、
第２の受信ユニット５０３は、前記第２の基地局により送信された端末コンテキスト要求失敗メッセージを受信するように構成され、前記端末コンテキスト要求失敗メッセージがＲＲＣリリースメッセージ及び前記ＲＲＣリリースメッセージの関連情報を含み、前記ＲＲＣリリースメッセージの関連情報が伝送情報及び／又はセキュリティ情報を含み、
第２の送信ユニット５０４は、前記ＲＲＣリリースメッセージの関連情報に基づいて、前記端末に前記ＲＲＣリリースメッセージを送信するように構成される。
【００７１】
ある実施例において、前記第１の受信ユニット５０１は、端末により送信されたＲＲＣ回復要求メッセージを受信した後、前記第１の送信ユニット５０２が前記ＲＲＣ回復要求メッセージに含まれる第１のユーザー識別子に基づいて、前記第２の基地局のアドレスを検索し、前記第２の基地局に端末コンテキスト取得要求メッセージを送信する。
【００７２】
ある実施例において、前記端末コンテキスト取得要求メッセージには、
ＲＲＣ回復手順を開始する原因値、
現在ＲＲＣ回復手順の目的が周期的な位置更新であることを示す第１の指示情報のうちの少なくとも１つが搬送される。
【００７３】
ある実施例において、前記端末コンテキスト取得要求メッセージは、前記第２の基地局が前記端末コンテキスト取得要求メッセージを受信した後に前記端末コンテキスト取得要求メッセージに含まれるＭＡＣ−Ｉに対して検証を行い、検証が合格した後、第１の情報に基づいて端末コンテキスト移行不要ＲＲＣ回復手順を行うかどうかを決定し、端末コンテキスト移行不要ＲＲＣ回復手順を行うと決定した場合、前記第１の基地局に端末コンテキスト要求失敗メッセージを送信するために使用される。
【００７４】
ある実施例において、前記第１の情報は、
前記端末コンテキスト取得要求メッセージに含まれるＲＲＣ回復手順を開始する原因値、
前記端末コンテキスト取得要求メッセージに含まれる現在ＲＲＣ回復手順の目的が周期的な位置更新であることを示す第１の指示情報、
位置更新タイマタイムアウト情報、
下りデータ到着するかどうかを示す指示情報のうちの少なくとも１つを含む。
【００７５】
ある実施例において、前記端末コンテキスト要求失敗メッセージは、
ＲＲＣリリースメッセージ、鍵、アルゴリズム、ＳＲＢ１の構成情報、端末が遷移するＲＲＣ状態を示す指示情報、又は、
ＲＲＣリリースメッセージ、ＲＲＣリリースメッセージに対応するＰＤＣＰ ＰＤＵ、ＳＲＢ１の構成情報、端末が遷移するＲＲＣ状態を示す指示情報、又は、
ＲＲＣリリースメッセージ、ＲＲＣリリースメッセージに対応するＴＢブロック、端末が遷移するＲＲＣ状態を示す指示情報。
【００７６】
ある実施例において、前記装置は、さらに、確立ユニット及び／又はセキュリティ処理ユニットを含み、
前記確立ユニットがＳＲＢ１の構成情報に基づいてＳＲＢ１を確立し、前記セキュリティ処理ユニットが前記鍵及びアルゴリズムに基づいてＲＲＣリリースメッセージに対して暗号化および完全性保護処理を行い、前記第２の送信ユニット５０４が前記ＳＲＢ１を利用して前記ＲＲＣリリースメッセージを送信し、又は、
前記確立ユニットがＳＲＢ１の構成情報に基づいてＳＲＢ１を確立し、前記第２の送信ユニット５０４が前記ＳＲＢ１を利用して前記ＲＲＣリリースメッセージに対応するＰＤＣＰ ＰＤＵを送信し、又は、
前記第２の送信ユニット５０４がＳＲＢ０を利用して前記ＲＲＣリリースメッセージに対応するＴＢブロックを送信する。
【００７７】
ある実施例において、前記ＲＲＣリリースメッセージは、前記端末が前記ＲＲＣリリースメッセージを受信した後、
前記ＲＲＣリリースメッセージが前記ＳＲＢ１で送信される場合、前記端末が回復されるＳＲＢ１で復号してＲＲＣリリースメッセージを取得し、前記ＲＲＣリリースメッセージにおける構成情報に基づいて構成を更新し、対応するＲＲＣ状態に遷移し、
前記ＲＲＣリリースメッセージがコンテナｃｏｎｔａｉｎｅｒで前記ＳＲＢ０において送信される場合、前記端末が前記ＳＲＢ０において前記ｃｏｎｔａｉｎｅｒにおけるＴＢデータを取得し、回復されるＳＲＢ１構成情報に基づいてＲＲＣリリースメッセージを復号化し、前記ＲＲＣリリースメッセージにおける構成情報に基づいて構成を更新し、対応するＲＲＣ状態に遷移するために使用される。
【００７８】
ある実施例において、前記第２のノード側の鍵は、
１）元の鍵に基づいて新しい鍵を生成し、
２）新しいＮＣＣに対応するＮＨに基づいて新しい鍵を生成し、ここで、前記ＮＣＣは、前記第２のノードがコアネットワークに能動的に要求して得られたものである。
【００７９】
さらに、前記新しい鍵は、前記第２の基地局のＰＣＩ及びＡＲＦＣＮに基づいて生成され、又は、前記新しい鍵は、前記第１の基地局のＰＣＩ及びＡＲＦＣＮに基づいて生成される。
【００８０】
本願の実施例に係る上述した情報伝送装置に関する説明は、本願の実施例に係る情報伝送方法に関する説明を参照することによって理解されるであろう。
【００８１】
図６は、本願の実施例に係る通信デバイス６００の概略構成図である。通信デバイスは、端末デバイス、またはネットワークデバイス(本願の実施例における上述の目標基地局または元の基地局など)であってもよく、図６に示される通信デバイス６００は、メモリからコンピュータプログラムを呼び出して実行することにより、本願の実施例における方法を実施し得るプロセッサ６１０を備える。
【００８２】
任意選択で、図６に示されるように、通信デバイス６００は、メモリ６２０をさらに含み得る。プロセッサ６１０は、メモリ６２０からコンピュータプログラムを呼び出して実行することにより、本願の実施例における方法を実施する。
【００８３】
ここで、メモリ６２０は、プロセッサ６１０とは独立した１つの別個の部品であってもよく、プロセッサ６１０に集積されてもよい。
【００８４】
任意選択で、図６に示すように、通信デバイス６００は、プロセッサ６１０が他のデバイスと通信するように制御することができる、具体的には、他のデバイスに情報又はデータを送信するか、又は他のデバイスによって送信された情報又はデータを受信することができる、送受信機６３０を更に含むことができる。
【００８５】
ここで、送受信機６３０は、送信機および受信機を含み得る。送受信機６３０は、１つ以上の数のアンテナをさらに含むことができる。
【００８６】
任意選択で、該通信デバイス６００は、特に、本願の実施例のネットワークデバイスであってもよく、通信デバイス６００は、簡潔性のために、本明細書では説明を省略し、本願の実施例の様々な方法においてネットワークデバイスにより実施される対応するフローを実施してもよい。
【００８７】
任意選択で、この通信デバイス６００は、特に、本願の実施例の移動端末/端末デバイスであってもよく、通信デバイス６００は、本願の実施例の各方法において移動端末/端末デバイスにより実現される対応するフローを実現してもよく、簡潔のために、ここでは詳しい説明を省略する。
【００８８】
図７は、本願の実施例におけるチップの概略構成図である。図７に示されるチップ７００は、メモリからコンピュータプログラムを呼び出して実行することにより、本願の実施例における方法を実行することができるプロセッサ７１０を含む。
【００８９】
任意選択で、図７に示されるように、チップ７００は、メモリ７２０をさらに含むことができる。プロセッサ７１０は、メモリ７２０からコンピュータプログラムを呼び出して実行することにより、本願の実施例における方法を実現することができる。
【００９０】
ここで、メモリ７２０は、プロセッサ７１０とは独立した別個の部品であってもよく、プロセッサ７１０に集積されていてもよい。
【００９１】
任意選択で、このチップ７００は、入力インターフェース７３０をさらに含むことができる。プロセッサ７１０は、入力インターフェース７３０を制御して他のデバイスまたはチップと通信してもよく、具体的には、他のデバイスまたはチップによって送信された情報またはデータを取得してもよい。
【００９２】
任意選択で、チップ７００は、出力インターフェース７４０をさらに含み得る。プロセッサ７１０は、出力インターフェース７４０を制御して、他のデバイス又はチップと通信してもよく、具体的には、他のデバイス又はチップに情報又はデータを出力してもよい。
【００９３】
任意選択で、チップは、本願の実施例におけるネットワークデバイスに適用されてもよく、チップは、本願の実施例の様々な方法においてネットワークデバイスによって実施される対応するフローを実施してもよく、簡潔にするためにここでは詳しい説明を省略する。
【００９４】
任意選択で、チップは、本願の実施例における移動端末/端末デバイスに適用されてもよく、チップは、本願の実施例の様々な方法における移動端末/端末デバイスによって実施される対応するフローを実施してもよく、簡潔さのためにここで詳しい説明を省略する。
【００９５】
本願の実施例で言及されるチップは、システムオンチップ、チップシステム、またはシステムチップなどと呼ばれることもあることを理解されたい。
【００９６】
図８は、本願の実施例によって提供される通信システム９００の概略的なブロック図である。図８に示すように、通信システム９００は、端末デバイス９１０と、ネットワークデバイス９２０とを有する。
【００９７】
ここで、該端末デバイス９１０は、上記方法のうち端末デバイスによって実現される対応する機能を実現するために使用され、該ネットワークデバイス９２０は、上記方法のうちネットワークデバイスによって実現される対応する機能を実現するために使用され、簡潔にするために、ここでは詳しい説明を省略する。
【００９８】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本出願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【００９９】
本願の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ（ Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ（ Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ（ Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ（ Ｓｙｎｃｈｌｉｎｋ ＤＲＡＭ、ＳＬＤＲＡＭ )、及びダイレクトメモリバスランダムアクセスメモリ( Ｄｉｒｅｃｔ Ｒａｍｂｕｓ ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１００】
上述のメモリは、限定ではなく例示的であるが、例えば、本願の実施例におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ（ ｓｙｎｃｈ ｌｉｎｋ ＤＲＡＭ、ＳＬＤＲＡＭ )、及びダイレクトメモリバスランダムアクセスメモリ( Ｄｉｒｅｃｔ Ｒａｍｂｕｓ ＲＡＭ、ＤＲ ＲＡＭ )等であってもよいことが理解されるべきである。すなわち、本願の実施例におけるメモリは、これら及び任意の他の適切なタイプのメモリを含むことを意図しているが、これらに限定されない。
【０１０１】
本願の実施例は、コンピュータプログラムを記憶するためのコンピュータ可読記憶媒体をさらに提供する。
【０１０２】
任意選択で、コンピュータ可読記憶媒体は、本願の実施例におけるネットワークデバイスに適用されてもよく、コンピュータプログラムは、コンピュータに、本願の実施例の各方法においてネットワークデバイスによって実施される対応するフローを実行させる。
【０１０３】
任意選択で、コンピュータ読み取り可能な記憶媒体は、本願の実施例における移動端末/端末デバイスに適用されてもよく、コンピュータプログラムは、コンピュータに、本願の実施例の各方法における移動端末/端末デバイスによって実現される対応するフローを実行させるが、簡潔にするために、ここでは詳しい説明は省略する。
【０１０４】
本願の実施例は、コンピュータプログラム命令を含むコンピュータプログラム製品も提供する。
【０１０５】
任意選択で、コンピュータプログラム製品は、本願の実施例におけるネットワークデバイスに適用されてもよく、コンピュータプログラム命令は、コンピュータに、本願の実施例の各方法においてネットワークデバイスによって実施される対応するフローを実行させる。
【０１０６】
任意選択で、コンピュータプログラム製品は、本願の実施例における移動端末/端末デバイスに適用されてもよく、コンピュータプログラム命令は、コンピュータに、本願の実施例の各方法における移動端末/端末デバイスによって実施される対応するフローを実行させ、簡潔にするために、ここでは詳しい説明は省略する。
【０１０７】
本願の実施例は、コンピュータプログラムをさらに提供する。
【０１０８】
任意選択的に、コンピュータプログラムは、本願の実施例におけるネットワークデバイスに適用されてもよく、コンピュータプログラムがコンピュータ上で実行される場合、コンピュータに、本願の実施例の各方法においてネットワークデバイスによって実現される対応するフローを実行させ、簡潔のために、これについての説明は省略する。
【０１０９】
任意選択で、本願の実施例に係る移動端末機にコンピュータプログラムを適用し、コンピュータプログラムがコンピュータ上で実行される場合、コンピュータに、本願の実施例に係る各方法のうち移動端末機で実現される対応するフローを実行させてもよく、これについての説明は省略する。
【０１１０】
業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本願の範囲から逸脱するものと考えられるべきではない。
【０１１１】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１１２】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１１３】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１１４】
また、本願の各実施例における各機能部は、１つの処理部に集積されてもよいし、各部は、物理的に別個に存在してもよいし、２つ以上の部が１つの部に集積されてもよい。
【０１１５】
また、ソフトウェア的な機能単位で実現され、独立した製品として販売又は使用される場合には、コンピュータ読み取り可能な記録媒体に格納されてもよい。このような理解に基づいて、本願の技術的解決策の本質または従来技術に寄与する部分、または本願の技術的解決策の部分は、１つのコンピュータデバイス(パーソナルコンピュータ、サーバ、またはネットワークデバイスなどであり得る)に本願の様々な実施例に記載された方法のステップの全てまたは一部を実行させるための複数の命令を含む１つの記憶媒体に記憶されたソフトウェア製品の形態で具現化され得る。なお、前記記憶媒体としては、U-ディスク、リムーバブルハードディスク、ＲＯＭ、ＲＡＭ、磁気ディスク、光ディスク等のプログラムコードを記憶できる種々の媒体を用いることができる。
【０１１６】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって定義されるべきである。
【図１】
2022501842.tif 000003
【図２】
2022501842.tif 000004
【図３】
2022501842.tif 000005
【図４】
2022501842.tif 000006
【図５】
2022501842.tif 000007
【図６】
2022501842.tif 000008
【図７】
2022501842.tif 000009
【図８】
2022501842.tif 000010
【手続補正書】
【提出日】令和3年7月20日(2021.7.20)
【手続補正１】
【補正対象書類名】特許請求の範囲
【補正対象項目名】全文
【補正方法】変更
【補正の内容】
【特許請求の範囲】
【請求項１】
第１の基地局が端末により送信されたＲＲＣ回復要求メッセージを受信した後、第２の基地局に端末コンテキスト取得要求メッセージを送信することと、
前記第１の基地局が前記第２の基地局により送信された端末コンテキスト要求失敗メッセージを受信し、前記端末コンテキスト要求失敗メッセージがＲＲＣリリースメッセージ及び前記ＲＲＣリリースメッセージの関連情報を含むことと、
前記第１の基地局が前記ＲＲＣリリースメッセージの関連情報に基づいて、前記端末に前記ＲＲＣリリースメッセージを送信することとを含む
ことを特徴とする情報伝送方法。
【請求項２】
前記ＲＲＣリリースメッセージの関連情報が伝送情報及び／又はセキュリティ情報を含む
ことを特徴とする請求項１に記載の情報伝送方法。
【請求項３】
前記第１の基地局が端末により送信されたＲＲＣ回復要求メッセージを受信した後、第２の基地局に端末コンテキスト取得要求メッセージを送信することは、
前記第１の基地局が端末により送信されたＲＲＣ回復要求メッセージを受信した後、前記ＲＲＣ回復要求メッセージに含まれる第１のユーザー識別子に基づいて、前記第２の基地局のアドレスを検索し、前記第２の基地局に端末コンテキスト取得要求メッセージを送信することを含む
ことを特徴とする請求項１又は２に記載の情報伝送方法。
【請求項４】
前記端末コンテキスト取得要求メッセージには、
ＲＲＣ回復手順を開始する原因値、
ＲＲＣ回復手順の目的が周期的な位置更新であることを示す第１の指示情報のうちの少なくとも１つが搬送される
ことを特徴とする請求項１〜３のいずれか1項に記載の情報伝送方法。
【請求項５】
前記第２の基地局が前記端末コンテキスト取得要求メッセージに含まれるＭＡＣ−Ｉに対して検証を行い、検証が合格した後、第１の情報に基づいて端末コンテキスト移行不要ＲＲＣ回復手順を行うかどうかを決定し、端末コンテキスト移行不要ＲＲＣ回復手順を行うと決定した後、前記第１の基地局に端末コンテキスト要求失敗メッセージを送信するために使用される
ことを特徴とする請求項４に記載の情報伝送方法。
【請求項６】
前記第１の情報は、
前記端末コンテキスト取得要求メッセージに含まれるＲＲＣ回復手順を開始する原因値、
前記端末コンテキスト取得要求メッセージに含まれるＲＲＣ回復手順の目的が周期的な位置更新であることを示す第１の指示情報、
位置更新タイマタイムアウト情報、
下りデータ到着するかどうかを示す指示情報のうちの少なくとも１つを含む
ことを特徴とする請求項５に記載の情報伝送方法。
【請求項７】
前記端末コンテキスト要求失敗メッセージは、
少なくとも１つのＲＲＣリリースメッセージ、鍵、アルゴリズム、ＳＲＢ１の構成情報、端末が遷移するＲＲＣ状態を示す指示情報、又は、
少なくとも１つのＲＲＣリリースメッセージ、ＲＲＣリリースメッセージに対応するＰＤＣＰ ＰＤＵ、ＳＲＢ１の構成情報、端末が遷移するＲＲＣ状態を示す指示情報、又は、
少なくとも１つのＲＲＣリリースメッセージ、ＲＲＣリリースメッセージに対応するＴＢブロック、端末が遷移するＲＲＣ状態を示す指示情報を含む
ことを特徴とする請求項１〜６のいずれか１項に記載の情報伝送方法。
【請求項８】
前記第１の基地局が前記ＲＲＣリリースメッセージの関連情報に基づいて、前記端末に前記ＲＲＣリリースメッセージを送信することは、
前記第１の基地局がＳＲＢ１の構成情報に基づいてＳＲＢ１を確立し、前記鍵及びアルゴリズムに基づいてＲＲＣリリースメッセージに対して暗号化および完全性保護処理を行い、前記ＳＲＢ１を利用して前記ＲＲＣリリースメッセージを送信すること、又は、
前記第１の基地局がＳＲＢ１の構成情報に基づいてＳＲＢ１を確立し、前記ＳＲＢ１を利用して前記ＲＲＣリリースメッセージに対応するＰＤＣＰ ＰＤＵを送信すること、又は、
前記第１の基地局がＳＲＢ０を利用して前記ＲＲＣリリースメッセージに対応するＴＢブロックを送信することを含む
ことを特徴とする請求項７に記載の情報伝送方法。
【請求項９】
前記ＲＲＣリリースメッセージは、
前記端末が前記ＲＲＣリリースメッセージを受信した後、
前記ＲＲＣリリースメッセージが前記ＳＲＢ１で送信される場合、前記端末が回復されるＳＲＢ１で復号してＲＲＣリリースメッセージを取得し、前記ＲＲＣリリースメッセージにおける構成情報に基づいて構成を更新し、対応するＲＲＣ状態に遷移し、
前記ＲＲＣリリースメッセージがコンテナｃｏｎｔａｉｎｅｒで前記ＳＲＢ０において送信される場合、前記端末が前記ＳＲＢ０において前記ｃｏｎｔａｉｎｅｒにおけるＴＢデータを取得し、回復されるＳＲＢ１構成情報に基づいてＲＲＣリリースメッセージを復号化し、前記ＲＲＣリリースメッセージにおける構成情報に基づいて構成を更新し、対応するＲＲＣ状態に遷移するために使用される
ことを特徴とする請求項８に記載の情報伝送方法。
【請求項１０】
前記第２の基地局の鍵は、
元の鍵に基づいて新しい鍵を生成し、又は、
新しいＮＣＣに対応するＮＨに基づいて新しい鍵を生成する
ことを特徴とする請求項１〜９のいずれか１項に記載の情報伝送方法。
【請求項１１】
前記新しい鍵は、前記第２の基地局のＰＣＩ及びＡＲＦＣＮに基づいて生成され、
又は、
前記新しい鍵は、前記第１の基地局のＰＣＩ及びＡＲＦＣＮに基づいて生成される
ことを特徴とする請求項１０に記載の情報伝送方法。
【請求項１２】
コンピュータプログラムを格納するメモリと、
前記コンピュータプログラムを呼び出して実行することで、請求項１〜１１のいずれか１項に記載の方法を実行するプロセッサと、を備える
ことを特徴とする通信デバイス。
【請求項１３】
請求項１〜１１のいずれか１項に記載の方法を、チップが搭載された装置に実行させるコンピュータプログラムをメモリから呼び出して実行するプロセッサを有する
ことを特徴とするチップ。
【請求項１４】
請求項１〜１１のいずれか１項に記載の方法をコンピュータに実行させるコンピュータプログラムを記憶する
ことを特徴とするコンピュータ可読記憶媒体。
【請求項１５】
請求項１〜１１のいずれか１項に記載の方法をコンピュータに実行させるコンピュータプログラム命令を含む
ことを特徴とするコンピュータプログラム製品。
【国際調査報告】
2022501842.tif 000011
2022501842.tif 000012
2022501842.tif 000013
2022501842.tif 000014